(57)【要約】      （修正有）【課題】複数の種類のディスプレイパネルが接続され得る情報処理装置において、従来よりも短時間でディスプレイパネルを起動させる。【解決手段】ディスプレイパネル１４０が接続された画像処理装置であって、画像処理装置全体の制御を行うＣＰＵ２１３と、ディスプレイパネル１４０内部において、ＣＰＵ２１３の制御に従ってディスプレイパネル１４０を制御するマイコン２０５とを含み、ＣＰＵ２１３は、装置への電源投入に応じて、ディスプレイパネル１４０を構成する画面の種類に応じた情報を、可搬型記憶媒体から取得する機能と、ディスプレイパネル１４０の起動制御に関する情報を、取得した前記種類に応じた情報に基づいてマイコン２０５に通知する機能とを有し、マイコン２０５は、ディスプレイパネル１４０の起動制御に関する情報に基づいて、ディスプレイパネル１４０の起動制御を行う。【選択図】図２
2014158233.tif 000002
【特許請求の範囲】
【請求項１】
表示装置が接続された情報処理装置であって、
前記情報処理装置全体の制御を行う全体制御部と、
前記表示装置内部において、前記全体制御部の制御に従って前記表示装置を制御する表示装置制御部と
を含み、
前記全体制御部は、
装置への電源投入に応じて、前記表示装置を構成する画面の種類に応じた情報を可搬型記憶媒体から取得する機能と、
前記表示装置の起動制御に関する情報を、取得した前記種類に応じた情報に基づいて前記表示装置制御部に通知する機能と
を有し、
前記表示装置制御部は、前記表示装置の起動制御に関する情報に基づいて前記表示装置の起動制御を行う
ことを特徴とする情報処理装置。
【請求項２】
前記全体制御部は、
取得した前記種類に応じた情報を、前記情報処理装置に搭載された不揮発性記憶媒体に格納し、
前記不揮発性記憶媒体に格納されている前記種類に応じた情報に基づいて、前記表示装置の起動制御に関する情報を前記表示装置制御部に通知する
ことを特徴とする請求項１に記載の情報処理装置。
【請求項３】
前記全体制御部は、前記不揮発性記憶媒体に前記種類に応じた情報を格納することを指示する入力信号を受け付けた場合、前記可搬型記憶媒体から前記種類に応じた情報を取得して前記不揮発性記憶媒体に格納し、その前記種類に応じた情報に基づいて、前記表示装置の起動制御に関する情報を前記表示装置制御部に通知する
ことを特徴とする請求項２に記載の情報処理装置。
【請求項４】
前記入力信号は、入力装置が操作されることにより生成される
ことを特徴とする請求項３に記載の情報処理装置。
【請求項５】
前記入力信号は、前記可搬型記憶媒体を検知することにより生成される
ことを特徴とする請求項３又は４に記載の情報処理装置。
【請求項６】
前記全体制御部は、前記不揮発性記憶媒体に前記種類に応じた情報が格納されていない場合、前記可搬型記憶媒体から前記種類に応じた情報を取得して前記不揮発性記憶媒体に格納し、その前記種類に応じた情報に基づいて、前記表示装置の起動制御に関する情報を前記表示装置制御部に通知する
ことを特徴とする請求項２〜５のいずれかに記載の情報処理装置。
【請求項７】
表示装置が接続された情報処理装置の制御方法であって、
前記情報処理装置全体の制御を行う全体制御部において、装置への電源投入に応じて、前記表示装置を構成する画面の種類に応じた情報を可搬型記憶媒体から取得し、
前記表示装置の起動制御に関する情報を、取得した前記種類に応じた情報に基づいて、前記全体制御部の制御に従って前記表示装置を制御する表示装置制御部に通知し、
前記表示装置制御部において、前記表示装置の起動制御に関する情報に基づいて前記表示装置の起動制御を行う
ことを特徴とする制御方法。
【請求項８】
表示装置が接続された情報処理装置の制御プログラムであって、
前記情報処理装置全体の制御を行う全体制御部において、装置への電源投入に応じて、前記表示装置を構成する画面の種類に応じた情報を可搬型記憶媒体から取得するステップと、
前記表示装置の起動制御に関する情報を、取得した前記種類に応じた情報に基づいて、前記全体制御部の制御に従って前記表示装置を制御する表示装置制御部に通知することにより、前記表示装置制御部において、前記表示装置の起動制御に関する情報に基づいて前記表示装置の起動制御を行うステップと
を前記情報処理装置に実行させることを特徴とする制御プログラム。
【発明の詳細な説明】
【技術分野】
【０００１】
本発明は、情報処理装置、制御方法及び制御プログラムに関し、特に、装置におけるディスプレイパネルの起動制御に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
このような画像処理装置においては、近年、タッチパネル式のＬＣＤ（Ｌｉｑｕｉｄ  Ｃｒｙｓｔａｌ  Ｄｉｓｐｌａｙ）が、操作部として用いられることが多くなっている。また、画像処理装置は、サイズや型（ＳＴＮ型；Ｓｕｐｅｒ−Ｔｗｉｓｔｅｄ  Ｎｅｍａｔｉｃ  Ｄｉｓｐｌａｙ、ＴＦＴ型；Ｔｈｉｎ  Ｆｉｌｍ  Ｔｒａｎｓｉｓｔｏｒ等）の異なる複数の種類のＬＣＤを適切に動作させるために、接続されているＬＣＤの種類を検出し、検出したＬＣＤの種類に応じてＬＣＤの電源立ち上げやバックライト等の制御を行う必要がある。
【０００４】
例えば、特許文献１には、情報処理装置において、ＬＣＤの種類を検出して、各ＬＣＤに対応する制御パラメータから、検出したＬＣＤの種類に対応する制御パラメータを選択し、選択した制御パラメータに従ってＬＣＤを制御する方法が提案されている。
【発明の概要】
【発明が解決しようとする課題】
【０００５】
ここで、画像処理装置におけるＬＣＤの制御方式として、ディスプレイを操作する操作部がＣＰＵを有し、単独でＬＣＤの制御等を行う単独方式と、画像処理装置を制御するコントローラ及び操作部が連携してＬＣＤの制御等を行う連携方式とがある。単独方式では、操作部が、ＬＣＤに表示させる画像データの生成、ＬＣＤの各種制御及び画像データの描画を行う。
【０００６】
連携方式では、コントローラ及び操作部が互いに通信して、コントローラからの指示により操作部がＬＣＤの各種制御を行い、コントローラで作成された画像データが操作部へ送信されて描画される。このような連携方式の場合、コントローラは操作部に搭載されているＬＣＤの種類に応じた制御を行う必要がある。
【０００７】
コントローラに対して接続される操作部に搭載されるＬＣＤの種類が予め判明していれば、それに応じてコントローラを設計し、若しくは制御用のプログラムを構築することにより、上述したＬＣＤの種類に応じた制御は実現可能である。しかしながら、そのように構成されたコントローラは、特定の種類のＬＣＤにのみ対応可能なものであり、汎用的な利用が困難なものとなってしまう。
【０００８】
したがって、コントローラの設計に際しては、複数のＬＣＤの種類に対応可能なように設計されることがある。そのようなコントローラの場合、装置の起動に際して、操作部がＬＣＤの種類を検出し、検出したＬＣＤ種類情報をコントローラへ送信し、コントローラが操作部から受信したＬＣＤ種類情報に応じたＬＣＤの制御を操作部に対して指示し、操作部がコントローラからの指示に応じてＬＣＤの各種制御を行う。
【０００９】
そのため、連携方式においては、ＬＣＤを制御するために、まず操作部がＬＣＤの種類を検出し、さらに、操作部とコントローラとで上述のような複数回の通信が行われるので、ＬＣＤの起動までに長い時間を要する場合がある。また、特許文献１の技術を用いた場合でも、ＬＣＤの起動時に、毎回ＬＣＤの種類を検出し、検出したＬＣＤの種類に応じた制御パラメータを選択する必要があるので、ＬＣＤの起動までに長い時間を要する場合がある。
【００１０】
なお、このような課題は、上述したＭＦＰのような画像処理装置に限ったものではなく、複数の種類のＬＣＤ（ディスプレイ）が接続され得る情報処理装置全般において同様に生じ得る。また、画像処理装置に接続されるディスプレイの種類は、ＬＣＤに限ったものではなく、有機ＥＬ（Ｅｌｅｃｔｒｏｌｕｍｉｎｅｓｃｅｎｃｅ）ディスプレイ、ＬＥＤ（Ｌｉｇｈｔ  Ｅｍｉｔｔｉｎｇ  Ｄｉｏｄｅ）ディスプレイ及びＦＥＤ（Ｆｉｅｌｄ  Ｅｍｉｓｓｉｏｎ  Ｄｉｓｐｌａｙ）等も含まれる。
【００１１】
本発明は、このような課題を解決するためになされたものであり、複数の種類のディスプレイパネルが接続され得る情報処理装置において、従来よりも短時間でディスプレイパネルを起動させることを目的とする。
【課題を解決するための手段】
【００１２】
上記課題を解決するために、本発明の一態様は、表示装置が接続された情報処理装置であって、前記情報処理装置全体の制御を行う全体制御部と、前記表示装置内部において、前記全体制御部の制御に従って前記表示装置を制御する表示装置制御部とを含み、前記全体制御部は、装置への電源投入に応じて、前記表示装置を構成する画面の種類に応じた情報を可搬型記憶媒体から取得する機能と、前記表示装置の起動制御に関する情報を、取得した前記種類に応じた情報に基づいて前記表示装置制御部に通知する機能とを有し、前記表示装置制御部は、前記表示装置の起動制御に関する情報に基づいて前記表示装置の起動制御を行うことを特徴とする。
【００１３】
また、本発明の他の態様は、表示装置が接続された情報処理装置の制御方法であって、前記情報処理装置全体の制御を行う全体制御部において、装置への電源投入に応じて、前記表示装置を構成する画面の種類に応じた情報を可搬型記憶媒体から取得し、前記表示装置の起動制御に関する情報を、取得した前記種類に応じた情報に基づいて、前記全体制御部の制御に従って前記表示装置を制御する表示装置制御部に通知し、前記表示装置制御部において、前記表示装置の起動制御に関する情報に基づいて前記表示装置の起動制御を行うことを特徴とする。
【００１４】
また、本発明の更に他の態様は、表示装置が接続された情報処理装置の制御プログラムであって、前記情報処理装置全体の制御を行う全体制御部において、装置への電源投入に応じて、前記表示装置を構成する画面の種類に応じた情報を可搬型記憶媒体から取得するステップと、前記表示装置の起動制御に関する情報を、取得した前記種類に応じた情報に基づいて、前記全体制御部の制御に従って前記表示装置を制御する表示装置制御部に通知することにより、前記表示装置制御部において、前記表示装置の起動制御に関する情報に基づいて前記表示装置の起動制御を行うステップとを前記情報処理装置に実行させることを特徴とする。
【発明の効果】
【００１５】
本発明によれば、複数の種類のディスプレイパネルが接続され得る情報処理装置において、従来よりも短時間でディスプレイパネルを起動させることができる。
【図面の簡単な説明】
【００１６】
【図１】本発明の実施形態に係る画像処理装置の機能構成を例示するブロック図である。
【図２】本発明の実施形態に係る画像処理装置のＬＣＤ起動制御に係るハードウェアの構成を例示する図である。
【図３】ＬＣＤの起動制御情報を例示する図である。
【図４】本発明の実施形態に係る画像処理装置のＬＣＤ起動制御のための動作シーケンスを例示する図である。
【図５】本発明の実施形態に係るＬＣＤ起動制御における入力信号に応じた動作を例示するフローチャートである。
【図６】本発明の実施形態に係るＬＣＤ起動制御におけるＬＣＤの交換を考慮した動作を例示するフローチャートである。
【発明を実施するための形態】
【００１７】
以下、図面を参照して、本発明の実施形態を詳細に説明する。本実施形態においては、複数の種類のＬＣＤが接続され得る画像処理装置において、画像処理装置を制御するコントローラとＬＣＤを操作する操作部とが連携してＬＣＤの起動を制御する方式が用いられる場合を例として説明する。
【００１８】
図１は、本実施形態に係る複合機としての画像処理装置１の機能構成を例示する図である。図１に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０及びネットワークＩ／Ｆ１８０を有する。
【００１９】
また、コントローラ１００は、主制御部１０１、エンジン制御部１０２、入出力制御部１０３、画像処理部１０４及び操作表示制御部１０５を有する。図１に示すように、本実施形態に係る画像処理装置１は、スキャナユニット１２０、プリントエンジン１６０を有する複合機として構成されている。なお、図１においては、電気的接続を実線の矢印で示しており、用紙の流れを破線の矢印で示している。
【００２０】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。なお、以降、ディスプレイパネル１４０を操作部１４０と記載することもある。ネットワークＩ／Ｆ１８０は、画像処理装置１がネットワークを介して管理者用端末等の他の機器と通信するためのインタフェースであり、Ｅｔｈｅｒｎｅｔ（登録商標）やＵＳＢインタフェースが用いられる。
【００２１】
コントローラ１００は、ソフトウェアとハードウェアとの組み合わせによって構成される。具体的には、ＲＯＭ（Ｒｅａｄ  Ｏｎｌｙ  Ｍｅｍｏｒｙ）やＨＤＤ（Ｈａｒｄ  Ｄｉｓｋ  Ｄｒｉｖｅ）等の不揮発性記憶媒体に格納されたファームウェア等の制御プログラムが、ＲＡＭ（Ｒａｎｄｏｍ  Ａｃｃｅｓｓ  Ｍｅｍｏｒｙ）にロードされ、それらのプログラムに従ってＣＰＵ（Ｃｅｎｔｒａｌ  Ｐｒｏｓｅｓｓｉｎｇ  Ｕｎｉｔ）が演算を行うことにより構成されるソフトウェア制御部と集積回路などのハードウェアとによってコントローラ１００が構成される。コントローラ１００は、画像処理装置１全体を制御する制御部として機能する。
【００２２】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、ネットワークＩ／Ｆ１８０を介して入力される信号や命令を主制御部１０１に入力する。また、主制御部１０１は、入出力制御部１０３を制御し、ネットワークＩ／Ｆ１８０及びネットワークを介して他の装置にアクセスする。
【００２３】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像処理装置１に格納され若しくはネットワークＩ／Ｆ１８０を介して他の機器に送信される情報である。操作表示制御部１０５は、ディスプレイパネル１４０に情報表示を行い若しくはディスプレイパネル１４０を介して入力された情報を主制御部１０１に通知する。
【００２４】
なお、プリンタ機能のみを有する画像処理装置の場合、図１に示すＡＤＦ１１０、スキャナユニット１２０及び排紙トレイ１３０が省略されると共に、エンジン制御部１０２の機能から、ＡＤＦ１１０、スキャナユニット１２０及び排紙トレイ１３０を制御するための機能が省略される。
【００２５】
画像処理装置１がプリンタとして動作する場合は、まず、入出力制御部１０３がネットワークＩ／Ｆ１８０を介して印刷ジョブを受信する。入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００２６】
画像処理装置１がスキャナとして動作する場合は、ユーザによるディスプレイパネル１４０の操作若しくはネットワークＩ／Ｆ１８０を介して外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。
【００２７】
エンジン制御部１０２は、ＡＤＦ１１０を駆動し、ＡＤＦ１１０にセットされた撮像対象原稿をスキャナユニット１２０に搬送する。また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００２８】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１８０を介して、入出力制御部１０３により外部の装置に送信される。
【００２９】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３０】
次に、本実施形態に係る画像処理装置１のＬＣＤ起動制御に係るハードウェア構成について、図２を参照して説明する。図２は、本実施形態に係る操作部１４０を構成するハードウェア構成及びコントローラ１００を構成するハードウェア構成を示すブロック図である。図２に示すように、本実施形態に係る操作部１４０は、ＬＣＤ２００、ＢＬ（バックライト；Ｂａｃｋ  Ｌｉｇｈｔ）２０１、ＴＰ（タッチパネル；Ｔｏｕｃｈ  Ｐａｎｅｌ）２０２、ＢＬＤ（バックライトドライバ；Ｂａｃｋ  Ｌｉｇｈｔ  Ｄｒｉｖｅｒ）２０３、ＴＰＣ（タッチパネルコントローラ；Ｔｏｕｃｈ  Ｐａｎｅｌ  Ｃｏｎｔｒｏｌｌｅｒ）２０４、マイコン２０５、センサ２０６、ＬＥＤ（Ｌｉｇｈｔ  Ｅｍｉｔｔｉｎｇ  Ｄｉｏｄｅ）２０７、ＫＥＹ２０８、Ｍｅｄｉａ−ＣＴＬ（Ｃｏｎｔｒｏｌｌｅｒ）２０９、ＵＳＢポート２１０、ＳＤスロット２１１及びＲｅｃ−ＩＣ（Ｒｅｃｅｉｖｅ  Ｉｎｔｅｇｒａｔｅｄ  Ｃｉｒｃｕｉｔ）２１２によって構成される。
【００３１】
本発明に係るコントローラ１００は、ＣＰＵ（又はＡＳＩＣ；Ａｐｐｌｉｃａｔｉｏｎ  Ｓｐｅｃｉｆｉｃ  Ｉｎｔｅｇｒａｔｉｏｎ  Ｃｉｒｃｕｉｔ）２１３、ＲＯＭ２１４、ＲＡＭ２１５、ＮＶＲＡＭ（不揮発性メモリ；Ｎｏｎ  Ｖｏｌａｔｉｌｅ  ＲＡＭ）２１６及びＤｒｖ−ＩＣ（Ｄｒｉｖｅｒ  Ｉｎｔｅｇｒａｔｅｄ  Ｃｉｒｃｕｉｔ）２１７によって構成される。
【００３２】
バックライト２０１は、電流が流れることにより、ＬＣＤ２００のバックライトとして点灯する。タッチパネル２０２は、ＬＣＤ２００に対するタッチ操作を検出する。ＢＬＤ２０３は、バックライト２０１に流す電流を制御する。ＴＰＣ２０４は、ＴＰ２０２が検出したタッチ操作等のアナログ信号を位置情報に変換して、マイコン２０５に対して出力する。また、ＴＰＣ２０４は、マイコン２０５からの制御に従って、ＴＰ２０２を制御する。
【００３３】
マイコン２０５は、コントローラ１００のＣＰＵ２１３と通信して、操作部１４０の各構成部を制御する。例えば、マイコン２０５は、ＣＰＵ２１３から入力されるＬＣＤ制御情報に従って、ＢＬＤ２０３、ＴＰＣ２０４及びＲｅｃ−ＩＣ２１２を介してＬＣＤ２００を制御する。つまり、マイコン２０５は、ＬＣＤ２００等の表示装置を制御する表示装置制御部として機能する。センサ２０６は、画像処理装置１の置かれている環境の照度や画像処理装置１に対する利用者の操作等を検知し、マイコン２０５に対して入力する。
【００３４】
ＬＥＤ２０７は、マイコン２０５からの制御に従って、ＬＣＤ２００に各種状態を表示する。ＫＥＹ２０８は、テンキー等の物理キーであり、省電力モードからの復帰用の信号等をマイコン２０５及びＣＰＵ２１３に対して出力する。Ｍｅｄｉａ−ＣＴＬ２０９は、ＵＳＢポート２１０及びＳＤスロット２１１を制御する。例えば、Ｍｅｄｉａ−ＣＴＬ２０９は、ＵＳＢポート２１０及びＳＤスロット２１１に挿入されているＵＳＢメモリやＳＤメモリカードにアクセスして記憶されている情報を取得し、ＣＰＵ２１３に対して出力する。
【００３５】
ＵＳＢポート２１０は、可搬型記憶媒体の一例であるＵＳＢメモリに対する情報の入出力を受け付けるインタフェースである。ＳＤスロット２１１は、可搬型記憶媒体の一例であるＳＤメモリカードに対する情報の入出力を受け付けるインタフェースである。Ｒｅｃ−ＩＣ２１２は、マイコン２０５からの制御に応じて、コントローラ１００において生成された画像データを受信し、ＬＣＤ２００に対して出力する。
【００３６】
ＣＰＵ２１３は、コントローラ１００全体を制御するとともに、操作部１４０のマイコン２０５及びＭｅｄｉａ−ＣＴＬ２０９を制御する演算装置である。ＲＡＭ２１５は情報の高速な読み書きが可能な揮発性の記憶媒体であり、ＲＯＭ２１４やＮＶＲＡＭ２１６に格納されている各種制御プログラム等をロードし、ＣＰＵ２１３が演算を行う際の作業領域として用いられる。つまり、このような演算を行うＣＰＵ２１３が、画像処理装置１全体を制御する全体制御部として機能する。Ｄｒｖ−ＩＣ２１７は、ＣＰＵ２１３からの制御に応じて、Ｒｅｃ−ＩＣ２１２に対して画像データを送信する。
【００３７】
次に、ＬＣＤ２００の起動制御に用いられる起動制御情報を説明する。図３は、起動制御情報を例示する図である。図３に示すように、起動制御情報は、ＬＣＤ２００を制御する複数の信号及び各信号に対する制約Ｔ１〜Ｔ６を含む。信号は、ＬＣＤ＿Ｐｏｗｅｒ、Ｖｉｄｅｏ＿ＣＬＫ（クロック；Ｃｌｏｃｋ）、Ｖｉｄｅｏ＿ＣＴＬ（コントロール；Ｃｏｎｔｒｏｌ）、Ｖｉｄｅｏ＿ＤＡＴＡ、ＢＬ＿Ｐｏｗｅｒ、ＢＬ＿ＰＷＭ（Ｐｕｌｓｅ  Ｗｉｄｔｈ  Ｍｏｄｕｌａｔｉｏｎ）及びＢＬ＿ＥＮ（ＥＮａｂｌｅ）の７種類である。
【００３８】
ＬＣＤ＿Ｐｏｗｅｒは、ＬＣＤ２００の電源を制御する信号を示す。Ｖｉｄｅｏ＿ＣＬＫは、ＬＣＤ２００に画像データを表示させる際に用いられるクロック信号を示す。Ｖｉｄｅｏ＿ＣＴＬは、ＬＣＤ２００に画像データを表示させる際に用いられる水平同期信号（ＨＳＹＮＣ；Ｈｏｒｉｚｏｎｔａｌ  Ｓｙｎｃｈｒｏｎｉｚｉｎｇ  Ｓｉｇｎａｌ）、垂直同期信号（ＶＳＹＮＣ；Ｖｅｒｔｉｃａｌ  Ｓｙｎｃｈｒｏｎｉｚｉｎｇ  Ｓｉｇｎａｌ）及びデータイネーブル信号（ＤＥ；Ｄａｔａ  Ｅｎａｂｌｅ）等のコントロール信号を示す。Ｖｉｄｅｏ＿ＤＡＴＡは、ＬＣＤ２００に表示させる画像データ信号を示す。
【００３９】
ＢＬ＿Ｐｏｗｅｒは、バックライト２０１の電源を制御する信号を示す。ＢＬ＿ＰＷＭは、パルス幅を調整して電流や電圧を制御し、バックライト２０１の輝度を調整するための信号を示す。ＢＬ＿ＥＮは、バックライト２０１を点灯させるためのイネーブル信号を示す。
【００４０】
図３に示すように、信号に対する制約Ｔ１は、ＬＣＤ＿Ｐｏｗｅｒ信号の立ち上がりから、Ｖｉｄｅｏ＿ＣＬＫ信号の立ち上がりまでの時間制約を示す。Ｔ２は、Ｖｉｄｅｏ＿ＣＬＫ信号の立ち上がりから、ＢＬ＿Ｐｏｗｅｒ信号の立ち上がりまでの時間制約を示す。Ｔ３は、ＢＬ＿Ｐｏｗｅｒ信号の立ち上がりから、ＢＬ＿ＰＷＭ信号の立ち上がりまでの時間制約を示す。Ｔ４は、ＢＬ＿ＰＷＭ信号の立ち上がりから、ＢＬ＿ＥＮ信号の立ち上がりまでの時間制約を示す。Ｔ５は、Ｖｉｄｅｏ＿ＣＬＫ信号の周波数を示す。Ｔ６は、ＢＬ＿ＰＷＭ信号の周波数及びデューティー期間を示す。
【００４１】
このような制御情報に従って、ＬＣＤ＿Ｐｏｗｅｒ信号によりＬＣＤ２００の電源がオンになり、Ｖｉｄｅｏ＿ＣＬＫ信号、Ｖｉｄｅｏ＿ＣＴＬ信号及びＶｉｄｅｏ＿ＤＡＴＡ信号により画像データがＬＣＤ２００に対して出力され、ＢＬ＿Ｐｏｗｅｒ信号によりバックライト２０１の電源がオンになり、ＢＬ＿ＰＷＭ信号によりバックライト２０１の輝度が調整され、ＢＬ＿ＥＮ信号によりバックライト２０１が点灯することで、ＬＣＤ２００が起動する。
【００４２】
また、このような制約が設定された制御情報は、ＬＣＤを製造するメーカーやＬＣＤの種類により異なり、故障や表示エラーが生じることなくＬＣＤを立ち上げるためには、ＬＣＤの種類に応じた制約に従う必要がある。本実施形態は、画像処理装置１のＬＣＤの種類に応じたこのような制御情報に従った起動制御において、従来よりも短時間でＬＣＤを起動させることがその要旨である。
【００４３】
次に、本実施形態に係る操作部１４０及びコントローラ１００の動作シーケンスを、図４を参照して説明する。図４に示すように、装置に対する主電源の投入に応じて、操作部１４０は、マイコン２０５及びＭｅｄｉａ−ＣＴＬ２０９の電源をオンにする（Ｓ４０１）。これにより、コントローラ１００に対しても電源供給が開始され、コントローラ１００は、各部の電源をオンにする（Ｓ４０２）。
【００４４】
各部への電源供給が開始されて動作を開始したコントローラ１００は、ＵＳＢメモリやＳＤカード等の可搬型記憶媒体に記憶されているＬＣＤ２００の種類情報を取得する（Ｓ４０３）。例えば、可搬型記憶媒体は、ＵＳＢポート２１０に挿入されたＵＳＢメモリであり、コントローラ１００は、Ｍｅｄｉａ−ＣＴＬ２０９を介してＵＳＢメモリに記憶されている種類情報を取得する。なお、このような可搬型記憶媒体は、操作部１４０が有するＵＳＢポート２１０等のインタフェースに挿入されるとは限らず、コントローラ１００自身及び他の構成部分が有するＵＳＢポート等、コントローラ１００がアクセスできるインタフェースであればどこに挿入されてもよい。また、ＬＣＤ２００の種類情報は、例えば、画像処理装置１に接続されるＬＣＤ２００の種類が確定した時点で、画像処理装置１の製造者により、可搬型記憶媒体に記憶される。
【００４５】
ＬＣＤ２００の種類情報を取得したコントローラ１００は、ＲＯＭ２１４に記憶されている制御情報のうち、取得した種類情報に対応するＬＣＤ２００の制御情報を取得する（Ｓ４０４）。そして、コントローラ１００は、取得したＬＣＤ２００の制御情報を、操作部１４０に対して送信する（Ｓ４０５）。コントローラ１００から制御情報を受信した操作部１４０は、受信した制御情報に従って、ＬＣＤ２００を起動させる（Ｓ４０６）。
【００４６】
以上説明したように、本実施形態において、コントローラ１００は、操作部１４０がＬＣＤ２００の種類を検出して種類情報を送信するまで待つことなく、可搬型記憶媒体に記憶されているＬＣＤ２００の種類情報を取得することができる。したがって、操作部１４０は、ＬＣＤ２００を起動させるたびにＬＣＤ２００の種類を検出する必要がなく、また、コントローラ１００及び操作部１４０は、ＬＣＤ２００を起動制御するために複数回の通信を行う必要もないので、ＬＣＤ２００の起動までの時間が従来に比べて短縮される。
【００４７】
また、本実施形態において、ＬＣＤ２００の種類情報は、可搬型記憶媒体に記憶され、コントローラ１００及び操作部１４０の内部で種類検出の機能を実装したり、種類情報を設定したりする必要がないので、画像処理装置１の開発工程を削減することができる。
【００４８】
また、ＬＣＤの種類の検出は、例えば、ＬＣＤの種類に対応付けて予め定められたＬＣＤ接続端子の複数の信号線のオン／オフのパターンを特定することにより行われる。したがって、検出できるＬＣＤの種類の数は信号線の数により制限されるので、起動制御可能なＬＣＤの種類の数にも制限があり、柔軟性に欠ける。一方、本実施形態においては、ＬＣＤ２００の種類情報は可搬型記憶媒体に記憶されるので、コントローラ１００が取得できるＬＣＤ２００の種類数に制限がなく、より多くの種類のＬＣＤを起動制御することができ、柔軟性に富む。
【００４９】
なお、本実施形態においては、可搬型記憶媒体にＬＣＤ２００の種類情報が記憶されている場合を具体例として説明したが、ＬＣＤ２００の種類に対応する制御情報が記憶されていてもよい。この場合、コントローラ１００は、可搬型記憶媒体に記憶されているＬＣＤ２００の制御情報を取得し、取得した制御情報に従ってＬＣＤ２００を起動させる。
【００５０】
上記実施形態においては、可搬型記憶媒体から種類情報を取得する場合を説明したが、状況に応じて、種類情報を可搬型記憶媒体から取得するか、コントローラ１００のＮＶＲＡＭ２１６から取得するかを判断するようにしてもよい。以下、コントローラ１００が、入力信号の有無に応じて種類情報の取得先を選択する動作を、図５を参照して説明する。図５は、コントローラ１００が入力信号の有無に応じて種類情報を取得する動作を例示するフローチャートである。
【００５１】
図５に示すように、電源供給が開始されたコントローラ１００は、入力信号を受信すると（Ｓ５０１／ＹＥＳ）、可搬型記憶媒体に記憶されている種類情報を取得する（Ｓ５０２）。入力信号は、例えば、コントローラ１００の電源がオンされるタイミングで、ユーザによりＫＥＹ２０８が押されることにより生成される。
【００５２】
可搬型記憶媒体に記憶されている種類情報を取得したコントローラ１００は、取得した種類情報をＮＶＲＡＭ２１６に記憶させる（Ｓ５０３）。そして、コントローラ１００は、ＮＶＲＡＭ２１６に記憶されている種類情報を取得する（Ｓ５０４）。
【００５３】
他方、コントローラ１００は、入力信号を受信しなければ（Ｓ５０１／ＮＯ）、ＮＶＲＡＭ２１６に記憶されている種類情報を取得する（Ｓ５０４）。つまり、入力信号が生成されない場合は、取得すべき種類情報がすでにコントローラ１００のＮＶＲＡＭ２１６に格納されていることを示し、コントローラ１００は、ＮＶＲＡＭ２１６から直接、種類情報を取得する。
【００５４】
このような構成により、コントローラ１００は、一旦可搬型記憶媒体から種類情報を取得して、ＮＶＲＡＭ２１６に記憶させれば、種類情報を取得するために毎回可搬型記憶媒体にアクセスする必要がないので、ＬＣＤ２００の起動時間がさらに短縮される。
【００５５】
なお、本実施形態においては、入力信号がＫＥＹ２０８により生成されることを例として説明したが、入力信号は、画像処理装置１の入力装置等に対する何らかの操作により生成される信号であればよい。例えば、入力信号は、ＵＳＢポート２１０やＳＤスロット２１１に可搬型記憶媒体が挿入されたことをＭｅｄｉａ−ＣＴＬ２０９が検知したことにより生成されてもよい。
【００５６】
本実施形態において、コントローラ１００は、このような画像処理装置１に対する汎用的な操作による入力信号に応じて種類情報の取得先を選択するので、コントローラ１００が取得先を選択するための専用の機能を実装する必要がなく、開発コストを抑えることができる。
【００５７】
また、コントローラ１００は、入力信号の有無により種類情報の取得先を選択する代わりに、ＮＶＲＡＭ２１６に種類情報が記憶されているか否かを判定し、ＮＶＲＡＭ２１６に種類情報が記憶されていると判定した場合は、ＮＶＲＡＭ２１６から種類情報を取得し、それ以外の場合、可搬型記憶媒体から種類情報を取得するようにしてもよい。ＮＶＲＡＭ２１６に種類情報が記憶されているか否かは、例えば、ＮＶＲＡＭ２１６の特定のアドレスのビットの状態により判定される。このような構成の場合、入力信号を生成する必要がなく、より容易に種類情報の取得先を選択する機能を実現することができる。
【００５８】
次に、ＬＣＤ２００の故障等により別のＬＣＤ２００に交換された場合に、コントローラ１００が交換後のＬＣＤ２００に対応する制御情報を取得する動作を、図６を参照して説明する。図６は、コントローラ１００がＬＣＤ２００の交換を考慮して種類情報を取得する動作を例示するフローチャートである。
【００５９】
図６に示すように、電源供給が開始されたコントローラ１００は、ＮＶＲＡＭ２１６に種類情報が記憶されていることを検知し（Ｓ６０１／ＹＥＳ）、さらに、入力信号を受信すると（Ｓ６０２／ＹＥＳ）、可搬型記憶媒体に記憶されている種類情報を取得する（Ｓ６０３）。この場合、コントローラ１００は、ＮＶＲＡＭ２１６に種類情報が記憶されているにも関わらず、可搬型記憶媒体から種類情報を取得することになる。これは、別のＬＣＤ２００に交換されたことにより対応する種類情報が変更されたことを示し、コントローラ１００は、変更された種類情報が記憶されている可搬型記憶媒体から変更後の種類情報を取得する。
【００６０】
そして、コントローラ１００は、取得した変更後の種類情報を、変更前の種類情報を記憶するＮＶＲＡＭ２１６に記憶させる（Ｓ６０４）。この場合、ＮＶＲＡＭ２１６に記憶されている変更前の種類情報が、交換後のＬＣＤ２００に対応する種類情報に上書きされることになる。そして、コントローラ１００は、ＮＶＲＡＭ２１６に上書きされた種類情報を取得する（Ｓ６０５）
なお、ＮＶＲＡＭ２１６に種類情報が記憶されているか否かは、例えば、ＮＶＲＡＭ２１６の特定のアドレスのビットの状態により判断される。また、入力信号は、上述したように画像処理装置１に対する何らかの操作により生成される信号であればよい。
【００６１】
他方、コントローラ１００は、ＮＶＲＡＭ２１６に種類情報が記憶されていることを検知しなければ（Ｓ６０１／ＮＯ）、可搬型記憶媒体に記憶されている種類情報を取得する（Ｓ６０３）。そして、コントローラ１００は、取得した種類情報をＮＶＲＡＭ２１６に記憶させる（Ｓ６０４）。この場合、種類情報が記憶されていないＮＶＲＡＭ２１６に、種類情報が記憶されることになる。そして、コントローラ１００は、ＮＶＲＡＭ２１６に記憶された種類情報を取得する（Ｓ６０５）。
【００６２】
他方、コントローラ１００は、ＮＶＲＡＭ２１６に種類情報が記憶されていることを検知したが（Ｓ６０１／ＹＥＳ）、入力信号を受信しなければ（Ｓ６０２／ＮＯ）、ＮＶＲＡＭ２１６に記憶されている種類情報を取得する（Ｓ６０５）。この場合、ＬＣＤ２００が交換されておらず、ＮＶＲＡＭ２１６に記憶されている種類情報がそのまま用いられることになる。
【００６３】
このような処理により、ＮＶＲＡＭ２１６に種類情報がすでに記憶されている場合であっても、故障等でＬＣＤ２００が別のＬＣＤ２００に交換されたときは、コントローラ１００は、入力信号を検知して、交換後のＬＣＤ２００に対応する種類情報を可搬型記憶媒体から取得してＮＶＲＡＭ２１６に新たに記憶させる。これにより、コントローラ１００は、ＬＣＤ２００が交換された場合であっても、交換後のＬＣＤ２００を容易に制御することができる。
【００６４】
なお、操作部１４０が従来のようにＬＣＤ２００の種類を検知するようにし、コントローラ１００等が、検知した種類情報と、可搬型記憶媒体に記憶されている種類情報とを比較して、可搬型記憶媒体に記憶されている種類情報が正しいか否かをチェックするようにしてもよい。つまり、可搬型記憶媒体に記憶されている種類情報が、検知されたＬＣＤ２００の種類情報と一致する場合、可搬型記憶媒体に記憶されている種類情報が正しいと判断する。このようなチェックを行うか否かは、ユーザの指示等に応じて適宜行われるようにすればよい。
【００６５】
また、本実施形態においては、サイズや型の異なる複数の種類のＬＣＤを具体例として説明したが、サイズや型が異なるだけでなく、パネルの種類（有機ＥＬディスプレイ、ＬＥＤディスプレイ及びＦＥＤ等）が異なってもよい。
【符号の説明】
【００６６】
１  画像処理装置
１００  コントローラ
１０１  主制御部
１０２  エンジン制御部
１０３  入出力制御部
１０４  画像処理部
１０５  操作表示制御部
１１０  ＡＤＦ
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
２００  ＬＣＤ
２０１  ＢＬ
２０２  ＴＰ
２０３  ＢＬＤ
２０４  ＴＰＣ
２０５  マイコン
２０６  センサ
２０７  ＬＥＤ
２０８  ＫＥＹ
２０９  Ｍｅｄｉａ−ＣＴＬ
２１０  ＵＳＢポート
２１１  ＳＤスロット
２１２  Ｒｅｃ−ＩＣ
２１３  ＣＰＵ
２１４  ＲＯＭ
２１５  ＲＡＭ
２１６  ＮＶＲＡＭ
２１７  Ｄｒｖ−ＩＣ
【先行技術文献】
【特許文献】
【００６７】
【特許文献１】特開平１１−３２６８６６号公報
【図１】
2014158233.tif 000003
【図２】
2014158233.tif 000004
【図３】
2014158233.tif 000005
【図４】
2014158233.tif 000006
【図５】
2014158233.tif 000007
【図６】
2014158233.tif 000008